(57)【特許請求の範囲】
【請求項１】
フレームと、
前記フレームに配置されるクッションと、
を含むベビーキャリッジであって、
前記クッションは複数の補強プレート及びファブリックカバーを含み、
前記補強プレートは前記ファブリックカバーの中に配置され、
前記補強プレートは並べて配置されるともに互いに離れており、
前記補強プレートのうちの少なくとも１つはプレート本体及び第１の補強リブを含み、
前記プレート本体には複数の貫通孔が形成され、前記第１の補強リブは前記プレート本体の底面に位置し、
前記第１の補強リブは連続する直線区画及び湾曲区画を含み、
前記湾曲区画の端部は、前記直線区画又は前記湾曲区画の一部に向かって延び且つ前記湾曲区画の端部と前記直線区画又は前記湾曲区画の該一部の間には所定の間隙が存在する、ベビーキャリッジ。
【請求項２】
前記湾曲区画は第１の湾曲部、第１の直線部、第２の湾曲部及び第２の直線部を含み、
前記第１の湾曲部は前記直線区画から延び、前記第１の直線部は前記第１の湾曲部から延び、前記第２の湾曲部は前記第１の直線部から延び、前記第２の直線部は前記第２の湾曲部から延びている、請求項１に記載のベビーキャリッジ。
【請求項３】
前記湾曲区画は第３の湾曲部及び第３の直線部をさらに含み、
前記第３の湾曲部は前記第２の直線部から延び、前記第３の直線部は前記第３の湾曲部から延び、前記第３の直線部は前記湾曲区画の端部を提供する、請求項２に記載のベビーキャリッジ。
【請求項４】
前記第２の直線部は前記直線区画と実質的に平行であり、前記第１の直線部及び前記第３の直線部は前記直線区画に対して実質的に垂直である、請求項３に記載のベビーキャリッジ。
【請求項５】
前記直線区画の一部と前記湾曲区画との間に非閉鎖空間が形成され、前記貫通孔のうちの少なくとも２つが前記非閉鎖空間内に位置する、請求項１に記載のベビーキャリッジ。
【請求項６】
各前記補強プレートは第２の補強リブをさらに含み、
前記第２の補強リブの構造は前記第１の補強リブの構造と同一であり、前記第１の補強リブ及び前記第２の補強リブは前記プレート本体の底面に対称的に位置している、請求項１に記載のベビーキャリッジ。
【請求項７】
前記第１の補強リブ及び前記第２の補強リブは互いに離れている、請求項６に記載のベビーキャリッジ。
【請求項８】
前記クッションは前記ファブリックカバーの中に配置されるとともに前記補強プレートの上に位置する通気層をさらに含む、請求項１に記載のベビーキャリッジ。
【請求項９】
前記クッションは前記ファブリックカバーの中に配置される複数の通気層をさらに含み、
各前記通気層は前記補強プレートのうちの１つの上に位置する、請求項１に記載のベビーキャリッジ。
【請求項１０】
前記ファブリックカバーは複数の縫い目線を有し、
各前記縫い目線は隣接する２つの前記補強プレートを互いに離す、請求項１に記載のベビーキャリッジ。
【請求項１１】
前記クッションは前記縫い目線を通じて選択的に折り畳まれるか又は広げられる、請求項１０に記載のベビーキャリッジ。
【請求項１２】
前記第１の補強リブは基本的に第１の側壁、第２の側壁及び複数の連結部で構成され、
前記第１の側壁及び前記第２の側壁は並べて配置されるとともに互いに離れており、
前記連結部が前記第１の側壁と前記第２の側壁との間に位置して前記第１の側壁と前記第２の側壁とを連結する、請求項１に記載のベビーキャリッジ。
【請求項１３】
各前記補強プレートは補強構造をさらに含み、
前記補強構造は前記補強プレートの周辺を取り囲む、請求項１に記載のベビーキャリッジ。
【請求項１４】
前記補強構造は中空構造である、請求項１３に記載のベビーキャリッジ。
【請求項１５】
前記補強構造の少なくとも１つのコーナー部と前記補強プレートの少なくとも１つのコーナー部とは互いに離れている、請求項１３に記載のベビーキャリッジ。
【請求項１６】
前記貫通孔は少なくとも２つの異なるサイズを有する、請求項１に記載のベビーキャリッジ。
【請求項１７】
前記ファブリックカバーから前記補強プレートを取り出すことができるように、前記ファブリックカバーの側面にジッパーが配置されている、請求項１に記載のベビーキャリッジ。
【請求項１８】
前記フレームは上側支持フレーム、下側支持フレーム及び複数の直立柱を含み、
前記直立柱の両端が前記上側支持フレーム及び前記下側支持フレームにそれぞれ連結されている、請求項１に記載のベビーキャリッジ。
【請求項１９】
前記フレームはシート及び支持フレームを含み、
前記シートは前記支持フレームに配置されている、請求項１に記載のベビーキャリッジ。
【請求項２０】
前記フレームはシート及び背もたれを含み、
前記背もたれは前記シートに配置されている、請求項１に記載のベビーキャリッジ。
【請求項２１】
前記フレームはシート、湾曲ベース部及び支持フレームを含み、
前記支持フレームは前記シート及び前記湾曲ベース部に連結されている、請求項１に記載のベビーキャリッジ。
【請求項２２】
前記フレームはシート、前脚フレーム、後脚フレーム、ハンドル及び複数の車輪を含み、
前記シートは前記前脚フレームに配置され、前記後脚フレームは、前記前脚フレームと前記後脚フレームとがお互いに対して伸長又は折り畳むことができるように前記前脚フレームに枢結され、前記ハンドルは前記前脚フレームに配置され、前記車輪は前記前脚フレーム及び前記後脚フレームに枢結されている、請求項１に記載のベビーキャリッジ。
【請求項２３】
前記フレームはシート、支持フレーム及びスイング装置を含み、
前記スイング装置は、前記スイング装置が前記支持フレームに対して揺れ動くことができるように前記支持フレームに枢結され、前記シートは前記スイング装置に配置されている、請求項１に記載のベビーキャリッジ。
【請求項２４】
前記フレームはシート及び支持フレームを含み、
前記シートは前記支持フレームに接続され、前記支持フレームは弾性変形可能なように屈曲された２つの屈曲部を有し、該２つの屈曲部はそれぞれ前記支持フレームの前記シートに接続された部分と連接し、
前記シートが下方に押された場合、前記２つの屈曲部が変形して弾性力を生成し、該弾性力によって前記シートが上方に跳ね動かされる、請求項１に記載のベビーキャリッジ。
【請求項２５】
前記フレームは上側支持フレーム、下側支持フレーム、２つの直立柱及びベッドを含み、
前記２つの直立柱は前記上側支持フレーム及び前記下側支持フレームに連結され、前記ベッドは前記上側支持フレームに配置されている、請求項１に記載のベビーキャリッジ。
【請求項２６】
前記フレームはシェル及びハンドルを含み、
前記ハンドルは前記シェルに枢結されている、請求項１に記載のベビーキャリッジ。
【請求項２７】
前記フレームは上側支持フレーム、２つの連結部材及びベッドを含み、
前記２つの連結部材は前記上側支持フレーム及び前記ベッドに連結されている、請求項１に記載のベビーキャリッジ。
【発明の詳細な説明】
【技術分野】
【０００１】
本発明はベビーキャリッジ（baby  carriage）に関し、より具体的には構造強度を強化することができるとともに通気性を改善ことができるクッションを備えたベビーキャリッジに関する。
【背景技術】
【０００２】
親又は世話人にとって、ベビーキャリッジは赤ん坊を収容するための非常に実用的なツールである。一般に、ベビーキャリッジはクッションを通常備えているため、赤ん坊はクッションの上に横たわることができる。赤ん坊はベビーキャリッジの中で遊ぶことがあるため、クッションの構造強度が十分でないと赤ん坊の安全が脅威にさらされ得る。さらに、赤ん坊がクッションの上に横たわっている場合、クッションの通気性が良好でなければ赤ん坊は不快に感じ得る。さらに、赤ん坊の口及び鼻がクッションで覆われると赤ん坊が窒息することがある。その結果、親又は世話人に大きな心理的負担をもたらし得る。
【発明の概要】
【０００３】
本発明は、上記の課題を解決するために、構造強度を強化することができるとともに通気性を改善することができるクッションを備えたベビーキャリッジを提供する。
【課題を解決するための手段】
【０００４】
本発明の一実施形態によれば、ベビーキャリッジはフレーム及びクッションを含む。クッションはフレームに配置される。クッションは複数の補強プレート及びファブリックカバーを含む。補強プレートはファブリックカバーの中に配置される。補強プレートは並べて配置されるともに互いに離れている。補強プレートのうちの少なくとも１つはプレート本体及び第１の補強リブを含む。プレート本体には複数の貫通孔が形成されている。第１の補強リブは前記プレート本体の底面に位置している。第１の補強リブは直線区画（straight  section）及び湾曲区画（curved  section）を含む。湾曲区画は直線区画から延びている。湾曲区画の端部と直線区画及び前記湾曲区画のうちの一方との間に間隙が存在する。
【０００５】
上述したように、本発明は補強プレートの底面に補強リブを配置して、補強リブにより補強プレートの構造強度を強化する。湾曲区画の端部と直線区画及び湾曲区画のうちの一方との間に間隙が存在するため（即ち、湾曲区画の端部は直線区画又は湾曲区画と連結されていない）、補強リブに外力が加えられても応力集中が起こらないため、補強プレートが容易に壊れたり破損したりすることはない。さらに、本発明の補強リブは直線区画の一部と湾曲区画との間に非閉鎖空間が形成され得るようにＰ字状であり得る。補強リブにより形成される非閉鎖空間にいくつかの貫通孔が位置していることにより、赤ん坊がクッションの上に横たわった場合に非閉鎖空間内の貫通孔が赤ん坊と十分接触できるため、通気性が改善され、快適性が高められ、窒息の危険性が低減される。さらに、本発明のクッションはベビーベッド、ベビーカー、ベッドサイドベッド、キャリコット、揺り椅子（rocker）、ダイニングチェアー、ブランコ、カーシート、バウンサー、幼児椅子、チャイルドシート等を含む様々なベビーキャリッジに適用することができる。
【０００６】
様々な図面に図示する下記の好ましい実施形態の詳細な説明を読み終えた後、本発明の上記の目的及び他の目的が当業者に間違いなく明らかになる。
【図面の簡単な説明】
【０００７】
【図１】図１は、本発明の第１の実施形態に係るクッションの斜視図である。
【図２】図２は、図１に図示のクッションを示す内部の図である。
【図３】図３は、図２に図示の補強プレート及び通気層を示す分解図である。
【図４】図４は、図３に図示の補強プレートを示す背面斜視図である。
【図５】図５は、図４に図示の１つの補強プレートを示す上面図である。
【図６】図６は、本発明の第２の実施形態に係る補強プレートを示す上面図である。
【図７】図７は、本発明の第３の実施形態に係る補強プレートを示す上面図である。
【図８】図８は、本発明の第４の実施形態に係る補強プレート及び通気層を示す分解図である。
【図９】図９は、本発明の第５の実施形態に係る補強プレートを示す正面斜視図である。
【図１０】図１０は、図９に図示の補強プレートを示す背面斜視図である。
【図１１】図１１は、本発明の第６の実施形態に係るベビーキャリッジを示す斜視図である。
【図１２】図１２は、本発明の第７の実施形態に係るベビーキャリッジを示す正面斜視図である。
【図１３】図１３は、図１２に図示のベビーキャリッジを示す背面斜視図である。
【図１４】図１４は、本発明の第８の実施形態に係るベビーキャリッジを示す斜視図である。
【図１５】図１５は、本発明の第９の実施形態に係るベビーキャリッジを示す斜視図である。
【図１６】図１６は、本発明の第１０の実施形態に係るベビーキャリッジを示す斜視図である。
【図１７】図１７は、本発明の第１１の実施形態に係るベビーキャリッジを示す斜視図である。
【図１８】図１８は、本発明の第１２の実施形態に係るベビーキャリッジを示す斜視図である。
【図１９】図１９は、本発明の第１３の実施形態に係るベビーキャリッジを示す斜視図である。
【図２０】図２０は、本発明の第１４の実施形態に係るベビーキャリッジを示す斜視図である。
【図２１】図２１は、本発明の第１５の実施形態に係るベビーキャリッジを示す斜視図である。
【発明を実施するための形態】
【０００８】
本発明のクッションは様々なベビーキャリッジ（例えば、ベビーベッド、ベビーカー、ベッドサイドベッド、キャリコット、揺り椅子、ダイニングチェアー、ブランコ、カーシート、バウンサー、幼児椅子、チャイルドシート等）に適用できるため、以下では先ず本発明のクッションを説明し、その後に係るクッションと共に使用可能な様々なベビーキャリッジを説明する。
【０００９】
図１〜図３を参照して、図１は本発明の第１の実施形態に係るクッション１を示す斜視図であり、図２は図１に図示のクッション１を示す内部の図であり、図３は、図２に図示の補強プレート１０及び通気層（permeable  layer）１４を示す分解図である。
【００１０】
図１〜図３に示すように、クッション１は複数の補強プレート１０、ファブリックカバー１２及び通気層１４を含む。補強プレート１０及び通気層１４はファブリックカバー１２の中に配置され、通気層１４は補強プレート１０の上面１０１の上に位置している。本実施形態では、補強プレート１０は金属又はプラスチックでできており、ファブリックカバー１２は通気性のメッシュファブリック又は他のファブリックであり、通気層１４は通気性の綿、通気性のポリマー又は他の通気性の材料であり得る。さらに、通気層１４は弾性を有する。そのため、赤ん坊がクッション１の上に横たわっている場合、通気層１４は赤ん坊を弾性的に支持して、赤ん坊が補強プレート１０と直接接触して不快に感じるのを防止することができる。
【００１１】
本実施形態では、補強プレート１０は並べて配置されているとともに互いに離れている。そのため、ファブリックカバー１２は複数の縫い目線１２０を有し、各縫い目線１２０によって隣接する２つの補強プレート１０が互いに離れ得る。通気層１４は補強プレート１０の上面１０１に位置するため、縫い目線１２０はファブリックカバー１２と通気層１４とを縫い合わせ得る。本実施形態では、ユーザーがファブリックカバー１２から補強プレート１０を取り出すか又は補強プレート１０をファブリックカバー１２内に入れることができるように、ジッパー１２ａ又は他の開閉要素がファブリックカバー１２の側面に配置され得る。さらに、ユーザーは、クッション１を収納するか又は搬送するために、縫い目線１２０を通じてクッション１を選択的に折り畳んだり広げたりしてもよい。
【００１２】
図４及び図５を参照して、図４は図３に図示の補強プレート１０を示す背面斜視図であり、図５は図４に図示の１つの補強プレート１０を示す上面図である。図４に示すように、各補強プレート１０はプレート本体１００、第１の補強リブ１０２及び第２の補強リブ１０４を含む。プレート本体１００には複数の貫通孔１０６が形成されている。第１の補強リブ１０２及び第２の補強リブ１０４はプレート本体１００の底面１０８に位置している。本実施形態では、第１の補強リブ１０２及び第２の補強リブ１０４はプレート本体１００の底面１０８で対称的に配置され、第１の補強リブ１０２と第２の補強リブ１０４とは互いに離れている。さらに、第２の補強リブ１０４の構造は第１の補強リブ１０２の構造と同一である。したがって、第１の補強リブ１０２を用いて本発明の特徴を以下で説明する。
【００１３】
図５に示すように、第１の補強リブ１０２は直線区画１０２０及び湾曲区画１０２２を含み、湾曲区画１０２２は直線区画１０２０から延び、湾曲区画１０２２の端部１０２４と直線区画１０２０との間に間隙１０２６が存在する。この実施形態では、湾曲区画１０２２は第１の湾曲部１０２２ａ、第１の直線部１０２２ｂ、第２の湾曲部１０２２ｃ、第２の直線部１０２２ｄ、第３の湾曲部１０２２ｅ及び第３の直線部１０２２ｆを含み、第１の湾曲部１０２２ａは直線区画１０２０から延び、第１の直線部１０２２ｂは第１の湾曲部１０２２ａから延び、第２の湾曲部１０２２ｃは第１の直線部１０２２ｂから延び、第２の直線部１０２２ｄは第２の湾曲部１０２２ｃから延び、第３の湾曲部１０２２ｅは第２の直線部１０２２ｄから延び、第３の直線部１０２２ｆは第３の湾曲部１０２２ｅから延びている。さらに、第３の直線部１０２２ｆは、上述した湾曲区画１０２２の端部１０２４を提供する。本実施形態では、第２の直線部１０２２ｄは直線区画１０２０と実質的に平行であり、第１の直線部１０２２ｂ及び第３の直線部１０２２ｆは直線区画１０２０に対して実質的に垂直である。なお、第２の直線部１０２２ｄは直線区画１０２０と平行な構成に限定されず、第１の直線部１０２２ｂ及び第３の直線部１０２２ｆは直線区画１０２０に対して垂直な構成に限定されない。湾曲部がない状態で直線区画と直線部とが互いに直接連結されていると、補強リブに外力が加えられた場合に（forced  by  external  force）応力集中が起こり得るため、補強プレートが簡単に壊れたり破損したりする。即ち、湾曲部の構成により、補強プレートが簡単に壊れたり破損したりすることがない。したがって、補強プレートの限られた領域内で補強リブの長さを大きくする必要がある場合は、それに合わせて湾曲部の数を増やして補強リブの強度を強化する必要がある。
【００１４】
本実施形態では、第１の補強リブ１０２は基本的に第１の側壁１０３０、第２の側壁１０３２及び複数の連結部１０３４で構成される。図５に示すように、第１の側壁１０３０及び第２の側壁１０３２は並べて配置されるとともに互いに所定の距離離れている。連結部１０３４は第１の側壁１０３０と第２の側壁１０３２との間に位置して第１の側壁１０３０と第２の側壁１０３２とを連結する。本実施形態では、連結部１０３４の厚さは第１の側壁１０３０及び第２の側壁１０３２の厚さと同一であり、連結部１０３４は第１の側壁１０３０及び第２の側壁１０３２に対して実質的に垂直である。したがって、第１の補強リブ１０２の薄壁構造の構造強度は中実構造（solid  structure）の構造強度と同様であり得る。その結果、第１の補強リブ１０２の材料を節約できるとともに、第１の補強リブ１０２の構造強度を良好に保つことができる。
【００１５】
第１の補強リブ１０２の湾曲区画１０２２の端部１０２４と直線区画１０２０との間に間隙１０２６が存在するため（即ち、湾曲区画１０２２の端部１０２４は第１の補強リブ１０２の直線区画１０２０に連結されていない）、補強リブに外力が加えられても応力集中が起こらないため、補強プレート１０が簡単に壊れたり破損したりすることはない。
【００１６】
さらに、各補強プレート１０は補強構造１１０をさらに含み得る。補強構造１１０は補強プレート１０の周辺を取り囲む。本実施形態では、補強構造１１０は中空構造であり得る。例えば、本発明は、補強構造１１０の材料を節約するために、ガスアシスト射出成形プロセスを利用して補強構造１１０の中空構造を形成し得る。補強構造１１０は補強プレート１０の構造強度をさらに強化することができる。さらに、補強構造１１０の少なくとも１つのコーナー部１１２と補強プレート１０の少なくとも１つのコーナー部１１４とは互いに離れ得る。即ち、コーナー部１１２の曲率はコーナー部１１４の曲率とは異なる。したがって、空間を生成してガスアシスト射出成形プロセスの歩留まり率を改善することができる。しかしながら、本発明はこの構成に限定されない。
【００１７】
図５に示すように、第１の補強リブ１０２は実質的にＰ字状であり、直線区画１０２０の一部と湾曲区画１０２２との間に非閉鎖空間１０２８が形成されている。貫通孔１０６のうちの少なくとも２つが非閉鎖空間１０２８内に位置している。第１の補強リブ１０２によって形成された非閉鎖空間１０２８内にいくつかの貫通孔１０６が位置しているため、非閉鎖空間１０２８内の貫通孔１０６は、赤ん坊がクッション１の上に横たわっている場合の通気性を改善して赤ん坊の口又は鼻がクッション１で覆われる間に窒息する危険性を低減できる。さらに、貫通孔１０６の配置密度（arrangement  density）を高めて通気性を改善するために、貫通孔１０６は少なくとも２つの異なるサイズを有し得る。異なるサイズの貫通孔１０６を組み合わせて配置することが好ましい。
【００１８】
図６を参照して、図６は本発明の第２の実施形態に係る補強プレート１０’を示す上面図である。補強プレート１０’と上述の補強プレート１０との主な違いは、補強プレート１０’の第１の補強リブ１０２及び第２の補強リブ１０４は図６に示すようにガスアシスト射出成形により形成された中空構造である点である。しかしながら、本発明はこのような構成に限定されない。即ち、本発明では、実際の用途に応じて第１の補強リブ１０２及び第２の補強リブ１０４は中実又は中空として設計され得る。
【００１９】
図７を参照して、図７は本発明の第３の実施形態に係る補強プレート１０’’を示す上面図である。補強プレート１０’’と上述の補強プレート１０’との主な違いは、図７に示すように補強プレート１０’’の湾曲区画１０２２の端部１０２４と湾曲区画１０２２自体との間に間隙１０２６が存在する点である。第１の補強リブ１０２の湾曲区画１０２２の端部１０２４と湾曲区画１０２２自体との間に間隙１０２６が存在するため（即ち、第１の補強リブ１０２の湾曲区画１０２２の端部１０２４は湾曲区画１０２２に連結されていない）、補強リブ１０２に外力が加えられても応力集中が起こらないため、補強プレート１０が簡単に壊れたり破損したりすることはない。
【００２０】
図６及び図７に図示の実施形態によれば、実際の用途に応じて、湾曲区画１０２２の端部１０２４と直線区画１０２０及び湾曲区画１０２２のうちの一方との間に間隙１０２６が選択的に存在し得る。
【００２１】
図８を参照して、図８は本発明の第４の実施形態に係る補強プレート１０及び通気層１４’を示す分解図である。図３及び図８に図示の実施形態の間の主な違いは、図８に図示の実施形態は複数の個別の通気層１４’を含む点である。通気層１４’は上述のファブリックカバー１２内に配置され、各通気層１４’は補強プレート１０のうちの１つの上面１０１に位置し得る。本実施形態では、実際の用途に応じて、ファブリックカバー１２と通気層１４’とを縫い目線１２０によって縫い合わせてもよいし縫い合わせなくてもよい。
【００２２】
図３及び図８に図示の実施形態によれば、本発明の通気層は実際の用途に応じて１つの通気層１４又は複数の通気層１４’として設計され得る。
【００２３】
図９及び図１０を参照して、図９は本発明の第５の実施形態に係る補強プレート３０を示す正面斜視図であり、図１０は図９に図示の補強プレート３０を示す背面斜視図である。図９及び図１０に示すように、補強プレート３０はプレート本体３００及び補強リブ３０２を含む。プレート本体３００には複数の貫通孔３０６が形成されている。補強リブ３０２はプレート本体３００の底面３０８に位置する。本実施形態では、補強リブ３０２は貫通孔３０６の端に直接形成されているため、補強リブ３０２の形状及びサイズは貫通孔３０６に対応する。本発明は、上述したクッション１の補強プレート１０を補強プレート３０で置換し得る。貫通孔３０６が蜂の巣状に分布しているため、補強プレート３０の通気性を効果的に改善することができる。さらに、補強リブも蜂の巣状に分布しているため、補強プレート３０の構造強度を効果的に強化できる。
【００２４】
図１１を参照して、図１１は本発明の第６の実施形態に係るベビーキャリッジ２を示す斜視図である。図１１に示すように、ベビーキャリッジ２はフレーム２０を含む。本実施形態では、ベビーキャリッジ２はベビーベッドであり得る。さらに、ベビーキャリッジ２は上述のクッションをさらに含む。クッションの特徴については上記で詳細に説明したため、以下ではフレーム２０の特徴のみを説明する。
【００２５】
図１１に示すように、フレーム２０は上側支持フレーム２００、下側支持フレーム２０２及び複数の直立柱（upright  posts）２０４を含み、各直立柱２０４の両端が上側支持フレーム２００及び下側支持フレーム２０２にそれぞれ連結されている。本実施形態では、上側支持フレーム２００は複数の上側支持部材２０００及び複数の上側コーナー部２００２を含み得る。上側支持部材２０００及び上側コーナー部２００２は互いに連結されて閉鎖空間を形成する。さらに、下側支持フレーム２０２は複数の下側支持部材２０２０、複数の下側コーナー部２０２２及びベース部２０２４を含み得る。各下側支持部材２０２０の両端は下側コーナー部２０２２及びベース部２０２４にそれぞれ連結されている。各直立柱２０４の一端は対応する上側コーナー部２００２に連結され、各直立柱２０４の他端は対応する下側コーナー部２０２２に連結され得る。
【００２６】
本実施形態では、下側支持フレーム２０２は複数の支持脚２０２６及び複数の車輪２０２８をさらに含み得る。各支持脚２０２６の一端はベース部２０２４に連結され、各支持脚２０２６の他端は上側支持フレーム２００から遠ざかる方向に湾曲している。各車輪２０２８は下側コーナー部２０２２に枢結されている。したがって、車輪２０２８によりフレーム２０を支持面上で動かすことができる。フレーム２０が特定の位置に動かされると、支持脚２０２６はフレーム２０を支持面で支持するのを支援する。
【００２７】
本実施形態では、上側支持フレーム２００は複数のロック機構２００４をさらに含み得る。ロック機構２００４は上側支持部材２０００に配置されている。各上側支持部材２０００は２つの手すりチューブ２０００ａ、２０００ｂを含み得る。各手すりチューブ２０００ａ、２０００ｂの両端は上側コーナー部２００２及びロック機構２００４にそれぞれ枢結されている。さらに、ロック機構２００４はボタン２００６を有し得る。２つの手すりチューブ２０００ａ、２０００ｂがお互いに対して伸長している場合、ロック機構２００４は、２つの手すりチューブ２０００ａ、２０００ｂを図１１に示す伸長状態で維持できるように２つの手すりチューブ２０００ａ、２０００ｂをロックする。ロック機構２００４のボタン２００６が押されると、ロック機構２００４は、２つの手すりチューブ２０００ａ、２０００ｂをお互いに対して回転させてお互いに対して折り畳むことができるように、２つの手すりチューブ２０００ａ、２０００ｂのロックを解除する。
【００２８】
本実施形態では、各下側支持部材２０２０の両端が下側コーナー部２０２２及びベース部２０２４にそれぞれ連結されている。さらに、ベース部２０２４は係合機構２０３０を含み得る。下側支持部材２０２０が下側コーナー部２０２２及びベース部２０２４に対して伸長している場合、係合機構２０３０は下側支持部材２０２０と係合して下側支持部材２０２０を固定するため、下側支持部材２０２０が図１１に示す伸長状態で維持される。係合機構２０３０が下側支持部材２０２０のロックを解除すると、下側支持部材２０２０は下側コーナー部２０２２及びベース部２０２４に対して回転させて下側コーナー部２０２２及びベース部２０２４に対して折り畳むことができる。
【００２９】
したがって、ユーザーがフレーム２０を収納するか又は搬送したい場合、ユーザーはロック機構２００４のボタン２００６を押して手すりチューブ２０００ａ、２０００ｂのロックを解除し、係合機構２０３０を操作して下側支持部材２０２０のロックを解除できる。そのとき、ユーザーは手すりチューブ２０００ａ、２０００ｂをお互いに対して回転させて折り畳み、下側支持部材２０２０を下側コーナー部２０２２及びベース部２０２４に対して回転させて折り畳むことで、フレーム２０の嵩（volume）を減らすことができる。その結果、フレーム２０を便利に収納又は搬送できる。
【００３０】
本実施形態では、本発明は、先ずフレーム２０内に支持ファブリック（図示せず）を配置し、その後に支持ファブリックの上に上述のクッションを配置してフレーム２０にクッションを配置する。なお、クッション内に配置される補強プレートは１つの単一の補強プレートとして形成され得るため、本発明は複数の補強プレートに限定されない。即ち、本発明では、１つの単一の補強プレートのサイズをフレーム２０のサイズに合わせることができるように、実際の用途に応じて補強プレートのサイズを変更し得る。
【００３１】
図１２及び図１３を参照して、図１２は本発明の第７の実施形態に係るベビーキャリッジ４を示す正面斜視図であり、図１３は図１２に図示のベビーキャリッジ４を示す背面斜視図である。図１２及び図１３に示すように、ベビーキャリッジ４はフレーム４０を含む。本実施形態では、ベビーキャリッジ４はベビーチェアーであり得る。さらに、ベビーキャリッジ４は上述のクッションをさらに含む。クッションの特徴については上記で詳細に説明したため、以下ではフレーム４０の特徴のみを説明する。
【００３２】
図１２に示すように、フレーム４０はシート４００、支持フレーム４０２、トレー４０４、足掛け４０６、少なくとも１つの車輪４０８及び少なくとも１つの横滑り防止部材４１０を含む。シート４００は支持フレーム４０２に配置されている。トレー４０４はシート４００に配置されている。足掛け４０６はシート４００の底部に連結されている。本実施形態では、支持フレーム４０２は前脚フレーム４０２０及び後脚フレーム４０２２を含み得る。前脚フレーム４０２０及び後脚フレーム４０２２は、前脚フレーム４０２０と後脚フレーム４０２２とがお互いに対して伸長又は折り畳むことができるように互いに枢結されている。車輪４０８は前脚フレーム４０２０に枢結されている。横滑り防止部材４１０は後脚フレーム４０２２に連結されている。したがって、車輪４０８によりフレーム４０を支持面の上で動かすことができる。フレーム４０が特定の位置に移動すると、横滑り防止部材４１０はフレーム４０が支持面の上で動くのを防止する。
【００３３】
図１３に示すように、フレーム４０は操作部材４１２、連結部材４１４及び係合部材（図示せず）をさらに含み得る。操作部材４１２、連結部材４１４及び係合部材はシート４００の背もたれ４０００に配置されている。連結部材４１４の両端は操作部材４１２及び係合部材にそれぞれ連結されている。さらに、シート４００のサイドプレート４００２には複数の係合孔（図示せず）が形成されている。係合部材が係合孔のうちの１つと係合すると、シート４００の背もたれ４０００は図１３に示すように傾斜角で維持される。ユーザーが背もたれ４０００の傾斜角を調整したい場合、ユーザーは操作部材４１２を上方に引っ張ることができる。操作部材４１２が操作されて連結部材４１４が引っ張られると、係合部材は係合孔から外れるため、背もたれ４０００は背もたれ４０００の傾斜角を調整するためにサイドプレート４００２に対して動かすことができる。
【００３４】
本実施形態では、本発明は、フレーム４０のシート４００の上に上述のクッションを配置し得る。なお、クッション内に配置される補強プレートは１つの単一の補強プレートとして形成され得るため、本発明は複数の補強プレートに限定されない。即ち、本発明では、１つの単一の補強プレートのサイズをフレーム４０のシート４００のサイズに合わせることができるように、実際の用途に応じて補強プレートのサイズを変更し得る。
【００３５】
図１４を参照して、図１４は本発明の第８の実施形態に係るベビーキャリッジ５を示す斜視図である。図１４に示すように、ベビーキャリッジ５はフレーム５０を含む。本実施形態では、ベビーキャリッジ５はカーシートであり得る。さらに、ベビーキャリッジ５は上述のクッションをさらに含む。クッションの特徴については上記で詳細に説明したため、以下ではフレーム５０の特徴のみを説明する。
【００３６】
図１４に示すように、フレーム５０はシート５００、背もたれ５０２、ヘッドレスト５０４、２つのサイドウィング部（side  wing）５０６、２つの手すり５０８及びカップホルダー５１０を含む。背もたれ５０２はシート５００に配置されている。ヘッドレスト５０４は背もたれ５０２に配置されている。２つのサイドウィング部５０６は背もたれ５０２の両側に配置されている。２つの手すり５０８はシート５００の両側に配置されている。カップホルダー５１０はシート５００の一方側に配置されている。
【００３７】
本実施形態では、本発明は、フレーム５０のシート５００の上に上述のクッションを配置し得る。なお、クッション内に配置される補強プレートは１つの単一の補強プレートとして形成され得るため、本発明は複数の補強プレートに限定されない。即ち、本発明では、１つの単一の補強プレートのサイズをフレーム５０のシート５００のサイズに合わせることができるように、実際の用途に応じて補強プレートのサイズを変更し得る。
【００３８】
図１５を参照して、図１５は本発明の第９の実施形態に係るベビーキャリッジ６を示す斜視図である。図１５に示すように、ベビーキャリッジ６はフレーム６０を含む。本実施形態では、ベビーキャリッジ６は揺り椅子であり得る。さらに、ベビーキャリッジ６は上述のクッションをさらに含む。クッションの特徴については上記で詳細に説明したため、以下ではフレーム６０の特徴のみを説明する。
【００３９】
図１５に示すように、フレーム６０はシート６００、湾曲ベース部６０２、支持フレーム６０４及び支持部材６０６を含む。本実施形態では、シート６００は限定されないが環状であり得る。支持フレーム６０４はシート６００及び湾曲ベース部６０２の真ん中部分に連結されている。支持部材６０６はシート６００及び湾曲ベース部６０２の前部に枢結されている。本実施形態では、支持フレーム６０４は上側支持フレーム６０４０、下側支持フレーム６０４２及びロック機構６０４４を含み得る。上側支持フレーム６０４０はシート６００に連結され、下側支持フレーム６０４２は湾曲ベース部６０２に連結されている。上側支持フレーム６０４０及び下側支持フレーム６０４２は限定されないがＵ字状であり得る。ロック機構６０４４は上側支持フレーム６０４０及び下側支持フレーム６０４２に連結されている。上側支持フレーム６０４０及び下側支持フレーム６０４２がお互いに対して伸長されている場合、ロック機構６０４４は、上側支持フレーム６０４０及び下側支持フレーム６０４２が図１５に示す伸長状態で維持されるように上側支持フレーム６０４０及び下側支持フレーム６０４２をロックする。ロック機構６０４４が上側支持フレーム６０４０及び下側支持フレーム６０４２のロックを解除すると、上側支持フレーム６０４０及び下側支持フレーム６０４２はシート６００及び湾曲ベース部６０２を駆動してお互いに対して折り畳むことができる。
【００４０】
本実施形態では、フレーム６０はおもちゃ用のバー（toy  bar）６０８をさらに含み得る。おもちゃ用のバー６０８はシート６００に配置され、おもちゃを引っ掛けるために用いられ得る。おもちゃ用のバー６０８はシート６００に枢結されていることが好ましい。
【００４１】
本実施形態では、フレーム６０は２つのブレーキ部材６１０をさらに含み得る。２つのブレーキ部材６１０は湾曲ベース部６０２の両端に枢結されている。（図１５に示すように）２つのブレーキ部材６１０が湾曲ベース部６０２に対して伸長されている場合、支持面に対して湾曲ベース部６０２が揺り動くのが２つのブレーキ部材６１０によって制限される。他方、２つのブレーキ部材６１０が湾曲ベース部６０２に対して折り畳まれている場合、支持面に対して湾曲ベース部６０２を揺り動かすことができる。
【００４２】
ユーザーがフレーム６０を収納又は搬送したい場合、ユーザーはロック機構６０４４を操作して上側支持フレーム６０４０及び下側支持フレーム６０４２のロックを解除することができる。そのとき、ユーザーはシート６００と湾曲ベース部６０２とをお互いに対して折り畳むことができる。その後、ユーザーはおもちゃ用のバー６０８をシート６００に対して回転させて折り畳み、２つのブレーキ部材６１０を湾曲ベース部６０２に対して回転させて折り畳んでフレーム６０の嵩を減らすことができる。その結果、フレーム６０を便利に収納又は搬送できる。
【００４３】
本実施形態では、本発明は、先ずシート６００内に支持ファブリック（図示せず）を配置し、その後に支持ファブリックの上に上述のクッションを配置してフレーム６０にクッションを配置する。なお、クッション内に配置される補強プレートは１つの単一の補強プレートとして形成され得るため、本発明は複数の補強プレートに限定されない。即ち、本発明では、１つの単一の補強プレートのサイズをフレーム６０のシート６００のサイズに合わせることができるように、実際の用途に応じて補強プレートのサイズを変更し得る。
【００４４】
図１６を参照して、図１６は本発明の第１０の実施形態に係るベビーキャリッジ７を示す斜視図である。図１６に示すように、ベビーキャリッジ７はフレーム７０を含む。本実施形態では、ベビーキャリッジ７はベビーカーであり得る。さらに、ベビーキャリッジ７は上述のクッションをさらに含む。クッションの特徴については上記で詳細に説明しため、以下ではフレーム７０の特徴のみを説明する。
【００４５】
図１６に示すように、フレーム７０はシート７００、前脚フレーム７０２、後脚フレーム７０４、ハンドル７０６及び複数の車輪７０８を含む。シート７００は前脚フレーム７０２に配置されている。後脚フレーム７０４は、前脚フレーム７０２と後脚フレーム７０４とをお互いに対して伸長又は折り畳むことができるように前脚フレーム７０２に枢結されている。ハンドル７０６は前脚フレーム７０２に配置されている。車輪７０８は前脚フレーム７０２及び後脚フレーム７０４に枢結されている。したがって、車輪７０８によりフレーム７０を支持面の上で動かすことができる。
【００４６】
本実施形態では、フレーム７０はトレー７１０及び天蓋用のバー（canopy  bar）７１２をさらに含む。トレー７１０はシート７００に配置され、天蓋用のバー７１２はシート７００に枢結されている。実際の用途では、カバー機能を提供するために天蓋が天蓋用のバー７１２に配置され得る。
【００４７】
本実施形態では、フレーム７０は前脚フレーム７０２と後脚フレーム７０４との間のジョイントに配置されるロック機構７１４をさらに含み得る。前脚フレーム７０２と後脚フレーム７０４とがお互いに対して伸長されている場合、ロック機構７１４は、前脚フレーム７０２及び後脚フレーム７０４が図１６に示す伸長状態で維持されるように前脚フレーム７０２及び後脚フレーム７０４をロックする。ロック機構７１４が前脚フレーム７０２及び後脚フレーム７０４のロックを解除すると、前脚フレーム７０２と後脚フレーム７０４とはお互いに対して折り畳むことができる。したがって、ユーザーがフレーム７０を収納又は搬送したい場合、ユーザーはロック機構７１４を操作して前脚フレーム７０２及び後脚フレーム７０４のロックを解除することができる。そのとき、ユーザーは前脚フレーム７０２及び後脚フレーム７０４をお互いに対して折り畳んでフレーム７０の嵩を減らすことができる。その結果、フレーム７０を便利に収納又は搬送できる。
【００４８】
本実施形態では、本発明は、先ずシート７００内に支持ファブリック（図示せず）を配置し、その後に支持ファブリックの上に上述のクッションを配置してフレーム７０にクッションを配置する。なお、クッション内に配置される補強プレートは１つの単一の補強プレートとして形成され得るため、本発明は複数の補強プレートに限定されない。即ち、本発明では、１つの単一の補強プレートのサイズをフレーム７０のシート７００のサイズに合わせることができるように、実際の用途に応じて補強プレートのサイズを変更し得る。
【００４９】
図１７を参照して、図１７は本発明の第１１の実施形態に係るベビーキャリッジ８を示す斜視図である。図１７に示すように、ベビーキャリッジ８はフレーム８０を含む。本実施形態では、ベビーキャリッジ８はブランコであり得る。さらに、ベビーキャリッジ８は上述のクッションをさらに含む。クッションの特徴については上記で詳細に説明したため、以下ではフレーム８０の特徴のみを説明する。
【００５０】
図１７に示すように、フレーム８０はシート８００、支持フレーム８０２及びスイング装置８０４を含む。スイング装置８０４は、スイング装置８０４が支持フレーム８０２に対して揺れ動くことができるように支持フレーム８０２に枢結されている。シート８００はスイング装置８０４に配置されている。したがって、スイング装置８０４が支持フレーム８０２に対して揺れ動くと、スイング装置８０４はシート８００を駆動して揺り動かす。
【００５１】
本実施形態では、スイング装置は２つのスイングアーム部８０４０及びベース部８０４２を含み得る。２つのスイングアーム部８０４０は対称的に支持フレーム８０２に枢結されている。ベース部８０４２は２つのスイングアーム部８０４０に連結されており、シート８００はベース部８０４２に配置されている。さらに、支持フレーム８０２は駆動機構８０２０を含み得る。スイングアーム部８０４０は駆動機構８０２０に枢結されている。駆動機構８０２０はスイングアーム部８０４０を駆動してスイングアーム部８０４０を揺り動かすともに揺り動きの範囲を制御する。
【００５２】
本実施形態では、フレーム８０は天蓋用のバー８０６をさらに含み得る。天蓋用のバー８０６はシート８００に枢結されている。実際の用途では、カバー機能を提供するために天蓋が天蓋用のバーに配置され得る。
【００５３】
本実施形態では、本発明は、フレーム８０のシート８００に上述のクッションを配置し得る。なお、クッション内に配置される補強プレートは１つの単一の補強プレートとして形成され得るため、本発明は複数の補強プレートに限定されない。即ち、本発明では、１つの単一の補強プレートのサイズをフレーム８０のシート８００のサイズに合わせることができるように、実際の用途に応じて補強プレートのサイズを変更し得る。
【００５４】
図１８を参照して、図１８は本発明の第１２の実施形態に係るベビーキャリッジ９を示す斜視図である。図１８に示すように、ベビーキャリッジ９はフレーム９０を含む。本実施形態では、ベビーキャリッジ９はバウンサーであり得る。さらに、ベビーキャリッジ９は上述のクッションをさらに含む。クッションの特徴については上記で詳細に説明したため、以下ではフレーム９０の特徴のみを説明する。
【００５５】
図１８に示すように、フレーム９０はシート９００及び支持フレーム９０２を含む。シート９００は支持フレーム９０２に配置されている。支持フレーム９０２は２つの屈曲部９０２０を有する。シート９００が押されると、２つの屈曲部９０２０が変形し弾性力を生成して、シート９００が弾むようにシート９００を上方に弾ませる。
【００５６】
本実施形態では、フレーム９０は、支持フレーム９０２に袖付された（sleeved）複数の台座９０４をさらに含み得る。台座９０４によりフレーム９０を支持面に安定的に配置することができる。
【００５７】
本実施形態では、本発明は、先ずシート９００内に支持ファブリック（図示せず）を配置し、その後に支持ファブリックの上に上述のクッションを配置してフレーム９０にクッションを配置する。なお、クッション内に配置される補強プレートは１つの単一の補強プレートとして形成され得るため、本発明は複数の補強プレートに限定されない。即ち、本発明では、１つの単一の補強プレートのサイズをフレーム９０のシート９００のサイズに合わせることができるように、実際の用途に応じて補強プレートのサイズを変更し得る。
【００５８】
図１９を参照して、図１９は本発明の第１３の実施形態に係るベビーキャリッジ１３を示す斜視図である。図１９に示すように、ベビーキャリッジ１３はフレーム１３０を含む。本実施形態では、ベビーキャリッジ１３はベッドサイドベッドであり得る。さらに、ベビーキャリッジ１３は上述のクッションをさらに含む。クッションの特徴については上記で詳細に説明したため、以下ではフレーム１３０の特徴のみを説明する。
【００５９】
図１９に示すように、フレーム１３０は上側支持フレーム１３００、下側支持フレーム１３０２、２つの直立柱１３０４及びベッド１３０６を含む。２つの直立柱１３０４は、上側支持フレーム１３００、下側支持フレーム１３０２及び２つの直立柱１３０４がＵ字状になるように上側支持フレーム１３００及び下側支持フレーム１３０２にそれぞれ連結されている。ベッド１３０６は上側支持フレーム１３００に配置されている。本実施形態では、フレームは複数のアーム部１３０８をさらに含み得る。アーム部１３０８を通じてベッド１３０６を上側支持フレーム１３００に配置できるように、各アーム部１３０８の両端が上側支持フレーム１３００及びベッド１３０６にそれぞれ枢結されている。各アーム部１３０８の両端が上側支持フレーム１３００及びベッド１３０６にそれぞれ枢結されているため、アーム部１３０８によりベッド１３０６を上側支持フレーム１３００に対して揺り動かすことができる。
【００６０】
本実施形態では、ベッド１３０６と下側支持フレーム１３０２との間に空間１３１０が存在する。したがって、ベッド１３０６が寝台ベッド（図示せず）の上に位置するように寝台ベッドの下の空間に下側支持フレーム１３０２が押し込まれ得る。その結果、寝台ベッドの上に横たわる世話人はベッド１３０６に横たわる赤ん坊を便利に世話することができる。さらに、フレーム１３０は下側支持フレーム１３０２に枢結された複数の車輪１３１２をさらに含む。したがって、車輪１３１２によりフレーム１３０を支持面の上で動かすことができる。
【００６１】
本実施形態では、フレーム１３０は２つの高さ調整機構１３１４をさらに含み得る。各高さ調整機構１３１４は直立柱１３０４にそれぞれ配置されている。高さ調整機構１３１４は直立柱１３０４の高さを調整するために操作することができる。即ち、直立柱１３０４は伸縮可能である。ユーザーは高さ調整機構１３１４を操作して直立柱１３０４の高さを調整してフレーム１３０の高さを調整することができる。
【００６２】
本実施形態では、本発明は、フレーム１３０のベッド１３０６の上に上述のクッションを配置し得る。なお、クッション内に配置される補強プレートは１つの単一の補強プレートとして形成され得るため、本発明は複数の補強プレートに限定されない。即ち、本発明では、１つの単一の補強プレートのサイズをフレーム１３０のベッド１３０６のサイズに合わせることができるように、実際の用途に応じて補強プレートのサイズを変更し得る。
【００６３】
図２０を参照して、図２０は本発明の第１４の実施形態に係るベビーキャリッジ１５を示す斜視図である。図２０に示すように、ベビーキャリッジ１５はフレーム１５０を含む。本実施形態では、ベビーキャリッジ１５はチャイルドシートであり得る。さらに、ベビーキャリッジ１５は上述のクッションをさらに含む。クッションの特徴については上記で詳細に説明したため、下記ではフレーム１５０の特徴のみを説明する。
【００６４】
図２０に示すように、フレーム１５０はシェル１５００、ハンドル１５０２、天蓋用のバー１５０４及びヘッドレスト１５０６を含む。ハンドル１５０２はシェル１５００に枢結されている。ユーザーはハンドル１５０２を持ってベビーキャリッジ１５を搬送できる。天蓋用のバー１５０４はシェル１５００に枢結されている。実際の用途で、カバー機能を提供するために天蓋が天蓋用のバー１５０４に配置され得る。ヘッドレスト１５０６はシェル１５００に配置されている。幼児がシェル１５００内で座っている場合、ヘッドレスト１５０６に対して幼児の頭をもたれさせることができる。
【００６５】
本実施形態では、本発明は、フレーム１５０のシェル１５００の上に上述のクッションを配置し得る。なお、クッション内に配置される補強プレートは１つの単一の補強プレートとして形成され得るため、本発明は複数の補強プレートに限定されない。即ち、本発明では、１つの単一の補強プレートのサイズをフレーム１５０のシェル１５００のサイズに合わせることができるように、実際の用途に応じて補強プレートのサイズを変更し得る。
【００６６】
図２１を参照して、図２１は本発明の第１５の実施形態に係るベビーキャリッジ１７を示す斜視図である。図２１に示すように、ベビーキャリッジ１７はフレーム１７０を含む。本実施形態では、ベビーキャリッジ１７はキャリコットであり得る。さらに、ベビーキャリッジ１７は上述のクッションをさらに含む。クッションの特徴については上記で詳細に説明したため、以下ではフレーム１７０の特徴のみを説明する。
【００６７】
図２１に示すように、フレーム１７０は上側支持フレーム１７００、２つの連結部材１７０２、ベッド１７０４及びハンドル１７０６を含む。２つの連結部材１７０２は上側支持フレーム１７００及びベッド１７０４に連結されている。ハンドル１７０６は２つの連結部材１７０５を通じて上側支持フレーム１７００に枢結されている。ユーザーはハンドル１７０６を持ってベビーキャリッジ１７を搬送できる。実際の用途では、本発明はフレーム１７０の周辺を覆うためにファブリックを利用し得る。さらに、連結部材１７０５は、ベビーキャリッジ１７を乳母車と共に組み立てることができるように乳母車の連結部材に連結され得る。
【００６８】
本実施形態では、本発明は、フレーム１７０のベッド１７０４の上に上述のクッションを配置し得る。なお、クッション内に配置される補強プレートは１つの単一の補強プレートとして形成され得るため、本発明は複数の補強プレートに限定されない。即ち、本発明では、１つの単一の補強プレートのサイズをフレーム１７０のベッド１７０４のサイズに合わせることができるように、実際の用途に応じて補強プレートのサイズを変更し得る。
【００６９】
上述したように、本発明は補強プレートの底面に補強リブを配置して、補強リブにより補強プレートの構造強度を強化する。湾曲区画の端部と直線区画及び湾曲区画のうちの一方との間に間隙が存在するため（即ち、湾曲区画の端部は直線区画又は湾曲区画と連結されていない）、補強リブに外力が加えられても応力集中が起こらないため、補強プレートが容易に壊れたり破損したりすることはない。さらに、本発明の補強リブは直線区画の一部と湾曲区画との間に非閉鎖空間が形成され得るようにＰ字状であり得る。補強リブにより形成される非閉鎖空間にいくつかの貫通孔が位置していることにより、赤ん坊がクッションの上に横たわった場合に非閉鎖空間内の貫通孔が赤ん坊と十分接触できるため、通気性が改善され、快適性が高められ、窒息の危険性が低減される。さらに、本発明のクッションはベビーベッド、ベビーカー、ベッドサイドベッド、キャリコット、揺り椅子、ダイニングチェアー、ブランコ、カーシート、バウンサー、幼児椅子、チャイルドシート等を含む様々なベビーキャリッジに適用することができる。
【００７０】
当業者であれば、本発明の教示を維持しながら多くの変更及び改良が装置及び方法に加えられ得ることに容易に気付く。したがって、上記の開示は、添付の請求項の範囲によってのみ限定されると解釈すべきである。
【符号の説明】
【００７１】
１  クッション
２  ベビーキャリッジ
３  ベビーキャリッジ
４  ベビーキャリッジ
５  ベビーキャリッジ
６  ベビーキャリッジ
７  ベビーキャリッジ
８  ベビーキャリッジ
９  ベビーキャリッジ
１０  補強プレート
１２  ファブリックカバー
１２ａ  ジッパー
１３  ベビーキャリッジ
１４  通気層
２０  フレーム
４０  フレーム
５０  フレーム
６０  フレーム
７０  フレーム
８０  フレーム
９０  フレーム
１００  プレート本体
１０１  上面
１０２  第１の補強リブ
１０４  第２の補強リブ
１０６  貫通孔
１０８  底面
１１０  補強構造
１１２  コーナー部
１１４  コーナー部
１２０  縫い目線
１３０  フレーム
３００  プレート本体
３０２  補強リブ
３０６  貫通孔
３０８  底面
１０２０  直線区画
１０２２  湾曲区画
１０２２ａ  第１の湾曲部
１０２２ｂ  第１の直線部
１０２２ｃ  第２の湾曲部
１０２２ｄ  第２の直線部
１０２２ｅ  第３の湾曲部
１０２２ｆ  第３の直線部
１０２４  端部
１０２６  間隙
１０３０  第１の側壁
１０３２  第２の側壁
１０３４  連結部
【図１】
0006349000.tif 000002
【図２】
0006349000.tif 000003
【図３】
0006349000.tif 000004
【図４】
0006349000.tif 000005
【図５】
0006349000.tif 000006
【図６】
0006349000.tif 000007
【図７】
0006349000.tif 000008
【図８】
0006349000.tif 000009
【図９】
0006349000.tif 000010
【図１０】
0006349000.tif 000011
【図１１】
0006349000.tif 000012
【図１２】
0006349000.tif 000013
【図１３】
0006349000.tif 000014
【図１４】
0006349000.tif 000015
【図１５】
0006349000.tif 000016
【図１６】
0006349000.tif 000017
【図１７】
0006349000.tif 000018
【図１８】
0006349000.tif 000019
【図１９】
0006349000.tif 000020
【図２０】
0006349000.tif 000021
【図２１】
0006349000.tif 000022